(57)【要約】【課題】ライニング材を支持する架台の位置決めを容易に行うことが可能な水路のライニング構造を提供する。【解決手段】水路の路床に形成された凹部１の中に配置される複数の架台２と、架台２の上に配置される複数のライニング材３と、凹部１内に充填された上で硬化する充填材４と、を備え、架台２に、この架台２と隣り合う他の部材との間の相対位置を決める位置決め部材８が設けられており、前記他の部材と位置決め部材８との間の当接によって架台２を位置決めした水路のライニング構造を構成する。【選択図】図２
2020066903.tif 000002
【特許請求の範囲】
【請求項１】
水路の路床に形成された凹部（１）の中に配置される複数の架台（２）と、
前記架台（２）の上に配置される複数のライニング材（３）と、
前記凹部（１）内に充填された上で硬化する充填材（４）と、
を備え、前記架台（２）に、この架台（２）と隣り合う他の部材との間の相対位置を決める位置決め部材（８）が設けられており、前記他の部材と前記位置決め部材（８）との間の当接によって前記架台（２）を位置決めした水路のライニング構造。
【請求項２】
前記ライニング材（３）が、板状の本体部（１３）と、前記本体部（１３）の下面から下向きに突出して設けられた脚部（１４）とを有し、前記本体部（１３）が前記架台（２）によって支持されるとともに、前記脚部（１４）が前記充填材（４）に埋め込まれて固定される請求項１に記載の水路のライニング構造。
【請求項３】
前記架台（２）に基礎ボルト（１６）が固定されており、この基礎ボルト（１６）に前記ライニング材（３）が固定されている請求項１又は２に記載の水路のライニング構造。
【発明の詳細な説明】
【技術分野】
【０００１】
この発明は、水路の路床の新設や補修に用いられる水路のライニング構造に関する。
【背景技術】
【０００２】
例えば、図１１に示す砂防ダムＤ等の水路においては、土砂を含む水によって、その水通し部Ａや水叩き部Ｂ等の各部に摩耗が生じやすい。そこで、この摩耗を防止又は補修するために、水路の新設時や補修時に、耐摩耗性を有するライニング材が敷設されることがある。
【０００３】
このライニング材のライニング構造として、例えば下記特許文献１に示すものがある。このライニング構造は、水路の路床に設けた凹部に架台を固定し、その架台にライニング材本体とその裏面に設けたつば付きの脚部とからなる多数のライニング材を配列し、凹部とライニング材との間にコンクリートを充填し、ライニング材の脚部をコンクリートで固定することによって構成される（本文献の段落０００８等参照）。このライニング材は、架台によって位置決めされる。
【先行技術文献】
【特許文献】
【０００４】
【特許文献１】特許第３７０８８９０号公報
【発明の概要】
【発明が解決しようとする課題】
【０００５】
特許文献１に係るライニング構造においては、各架台の設置高さや角度等の位置決めは、作業現場での測量に基づく墨出しによって行うのが一般的である。この墨出しによるレベル出しは、構造物における代表的な部位（例えば、構造物の端部や中央部分）のみで行われるのが通常である。そして、各架台を並べる過程で、各架台の位置やレベルの調整が行なわれる。
【０００６】
この場合、特許文献１の図６等に示すように凹部の底面が平坦部のときは、各架台の調整は比較的容易であるのに対して、河床の傾斜が連続的に変わる部位や、河床が屈曲（カーブ）した部位においては、架台の上に設けたライニング材同士が重なったり、隙間が空きすぎたりするのを防止するために、架台の位置、角度、レベル等の微調整が必要となる。場合によっては、ライニング材を架台に設置した状態で架台の位置等が正しいかどうかを確認した上で、一旦ライニング材を取り外し、架台をその位置に固定するといった作業が必要となり、施工の際に非常に大きな手間を要する問題がある。
【０００７】
そこで、この発明は、ライニング材を支持する架台の位置決めを容易に行うことを課題とする。
【課題を解決するための手段】
【０００８】
上記の課題を解決するため、この発明は、水路の路床に形成された凹部の中に配置される複数の架台と、前記架台の上に配置される複数のライニング材と、前記凹部内に充填された上で硬化する充填材と、を備え、前記架台に、この架台と隣り合う他の部材との間の相対位置を決める位置決め部材が設けられており、前記他の部材と前記位置決め部材との間の当接によって前記架台を位置決めした水路のライニング構造を構成した。
【０００９】
このようにすると、凹部底面や水路の形状にかかわらず、複数の架台を適切な位置関係で設けることができ、この架台の上に設けたライニング材同士が重なったり、隙間が空きすぎたりするのを確実に防止することができる。位置決め部材の当接部位は任意であって、隣り合う架台や、その架台に設けられた位置決め部材の他に、凹部内に埋め込まれたアンカー、コンクリート壁、スクリーン等の既設構造物等とすることができる。
【００１０】
前記構成においては、前記ライニング材が、板状の本体部と、前記本体部の下面から下向きに突出して設けられた脚部とを有し、前記本体部が前記架台によって支持されるとともに、前記脚部が前記充填材に埋め込まれて固定される構成とすることができる。
【００１１】
このようにすると、硬化した充填材によって脚部が強固に固定されるため、施工後のライニング材のずれを確実に防止することができる。
【００１２】
前記各構成においては、前記架台に基礎ボルトが固定されており、この基礎ボルトに前記ライニング材が固定されている構成とすることができる。
【００１３】
このようにすると、基礎ボルトへのナットの締付けによって、ライニング材を容易かつ確実に架台に固定することができる。
【発明の効果】
【００１４】
この発明によると、凹部底面や水路の形状にかかわらず、複数の架台を適切な位置関係で設けることができ、この架台の上に設けたライニング材同士が重なったり、隙間が空きすぎたりするのを確実に防止することができる。位置決め部材の当接部位は任意であって、隣り合う架台や、その架台に設けられた位置決め部材の他に、凹部内に埋め込まれたアンカー、コンクリート壁、スクリーン等の既設構造物等とすることができる。
【図面の簡単な説明】
【００１５】
【図１】この発明に係る水路のライニング構造の第一実施形態を示す正面図
【図２】図１の要部を示す拡大図
【図３】図１のライニング構造の一部の分解斜視図
【図４】ライニング構造の設置例を示す平面図
【図５】この発明に係る水路のライニング構造の第二実施形態を示す側面図
【図６】架台（水平架台）を示す斜視図
【図７】この発明に係る水路のライニング構造の第三実施形態を示す斜視図
【図８】この発明に係る水路のライニング構造の第四実施形態を示す側面図
【図９】図８の要部を示す側面図
【図１０】図９中のＸ−Ｘ線方向からの矢視図
【図１１】砂防ダムの一例を示す斜視図
【発明を実施するための形態】
【００１６】
図１及び図２にこの発明に係る水路のライニング構造の第一実施形態を示す。この図１及び図２は、水路の流れ方向に対する垂直な面で切った断面図であり、各図中のＷ１、Ｗ２は水路の幅方向の左右側壁を示す。この水路のライニング構造は、水路の路床の新設や補修に用いられ、水路の路床に形成された凹部１の中に配置される複数の架台２と、この架台２の上に配置される複数のライニング材３と、凹部１内に充填された上で硬化する充填材４を主要な構成要素としている。
【００１７】
凹部１は、水路の新設の際には、この凹部１の形状に対応した型枠等を用いて形成され、水路の補修の際には、老朽化した路床に対して斫り工事を行うことによって形成される。この凹部１の深さｄは適宜決められるが、数十センチメートル程度とされることが多い。
【００１８】
図１等に示すライニング構造に用いられる架台２とライニング材３の一例を図３に示す。
【００１９】
架台２は、この架台２の長手方向（水路の流れ方向）に沿って２列に配置された複数の脚部５と、２列に配置された複数の脚部５の上端部を連結する一対の横部材６と、一対の横部材６同士を連結する複数の縦部材７と、２列に配置された複数の脚部５のうち一方の列の脚部５に設けられた位置決め部材８と、を有している。脚部５、横部材６、縦部材７、及び、位置決め部材８は、いずれも鋼材からなる。脚部５と横部材６の間、横部材６と縦部材７の間、及び、脚部５と位置決め部材８の間は、それぞれ溶接によって固定されている。一対の横部材６と複数の縦部材７によって、架台の上面には複数の正方形状の格子が形成されている。
【００２０】
位置決め部材８は、各脚部５から垂直に突出して設けられた複数の接続片９と、各接続片９を連結する当接部１０とから構成される。接続片９と当接部１０は、溶接によって固定されている。当接部１０は、横部材６と平行に配置された長尺板状の部材（フラットバー）である。この位置決め部材８は、隣り合う架台２の脚部５に当接するように配置されている。なお、位置決め部材８の形状は任意であって、Ｌ形鋼等の鉤形の部材や、コ字形鋼、Ｈ形鋼、Ｔ形鋼等の種々の形状の鋼材を施工のしやすさ等の事情を考慮して適宜選択することができる。また、隣り合う架台２等との間の位置決めを行い得る限りにおいて、短尺の部材を当接部１０として採用することもできる。
【００２１】
この架台２は、図２等に示すように、所定位置への設置後に、予め凹部１内に設けられたアンカーボルト１１との間に配置された条鋼１２を溶接することによって固定される。これによって、各架台２の凹部１内における位置が確定する。
【００２２】
位置決め部材８の形状や、脚部５への取付け位置は、事前に行なわれる凹部１の形状の測定結果に基づいて決められる。例えば、図１に示すように、水路の断面形状がその幅方向に亘って湾曲している場合は、隣り合う架台２の設置角度をその幅方向に沿って少しずつ変化させる必要がある。そこで、隣り合う架台２の脚部５の相対角度が、水路の湾曲に対応するように、位置決め部材８の形状や、脚部５への取付け位置が決められる。この位置決め部材８は、架台２の製造工場で予め取り付けられるので、現場での調整作業が不要である。このため、現場での架台２の設置作業をスムーズに行うことができる。
【００２３】
この位置決め部材８が当接する隣り合う架台２の脚部５に、当接位置を示すマーキングを付しておくのが好ましい。このようにすると、このマーキングを目安として架台２を配置することができるため、架台２の設置作業を一層スムーズに行うことができる。
【００２４】
この実施形態においては、位置決め部材８を架台２の脚部５に設けた構成としたが、架台２の枠部（横部材６や縦部材７）に位置決め部材８を設けた構成とすることもできる。また、例えば、脚部５の一部を隣り合う架台２に向けて突出した形状とすることによって、この位置決め部材８を架台２の構成部材の一部とすることができ、省スペース化、軽量化、部材コストの削減等を図ることができる可能性がある。
【００２５】
ライニング材３は、板状の本体部１３と、本体部１３の下面から下向きに突出して設けられた脚部１４と、を有している。本体部１３と脚部１４は、溶接によって固定されている。本体部１３は、耐摩耗性鋳鋼、脚部１４は鋼材からなる。図３においては正方形の本体部１３を示したが、本体部１３の形状は、長方形、台形、又は、これらの一部を切り欠いた形状等（例えば図４参照）のように、水路の側壁Ｗの形状に合わせて適宜変更することができる。なお、鋳造等によって、本体部１３と脚部１４を一体に形成することもできる。
【００２６】
脚部１４は、本体部１３の四隅近傍に四本設けられている。脚部１４の下端には、つば部１５が設けられている。この脚部１４は、凹部１内に充填された充填材４に埋め込まれるが、つば部１５を形成することにより、充填材４に埋め込まれた脚部１４の耐引き抜き強度を向上することができる。なお、脚部１４の位置や本数は、本体部１３の形状や大きさ等に対応して適宜変更することができる。
【００２７】
この実施形態においては、ライニング材３の脚部１４の長さは、架台２の脚部５の長さよりも短く、ライニング材３の脚部１４が凹部１の底面に当接しない構成としたが（図２等参照）、ライニング材３の脚部１４が凹部１の底面によって支えられるように、その脚部１４の長さを延長してもよい。
【００２８】
この実施形態においては、充填材４としてセメントを採用している。この充填材４は、図１中等に示すＬの位置まで充填される。充填材４をこの深さまで充填することによって、硬化した充填材４によって、ライニング材３の脚部１４を安定的に保持することができる。
【００２９】
このライニング構造の施工に際しては、まず、凹部１内に複数の架台２を順に配列する。このとき、架台２に設けられた位置決め部材８を、隣り合う架台２の脚部５等の所定位置に当接させる。これにより、複数の架台２をスムーズに所定位置に配置することができる。この配置後に、各架台２を条鋼１２によってアンカーボルト１１に固定する。
【００３０】
次に、架台２の上面に形成された格子に、複数のライニング材３を順に設ける。このライニング材３の位置は架台２の設置位置によって決まる。この施工においては、各架台２が、正確に所定位置に設置されているため、複数のライニング材３に重なりが生じたり、大きな隙間が生じたりすることなくスムーズに配置することができる。このとき、一部のライニング材３の設置を一旦保留し、そのライニング材３を設けるための格子状の穴から、凹部１内に充填材４を所定量充填する。そして、その充填材４が硬化する前に、設置を一旦保留したライニング材３を所定位置に設ける。そして、この充填材４が硬化したら、水路のライニング構造が完成する。
【００３１】
この実施形態においては、位置決め部材８を隣り合う架台２の脚部５に当接させる構成としたが、凹部１内に設けたアンカーボルト１１、砂防ダムＤ等のコンクリート壁、水路中に設けられるスクリーン等の既設構造物に当接させることもできる。例えば、図４に平面視で示すように、河床面が曲がっている場合は、この河床面の側壁Ｗとなるコンクリート壁に位置決め部材８を当接させることにより、架台２を正確に位置決めすることができる。
【００３２】
また、隣り合う架台２のそれぞれに設けられた位置決め部材８同士を当接させる構成としてもよい。この場合、位置決め部材８同士を溶接やねじによって固定することもできる。このようにすれば、架台２同士の位置ずれを確実に防止することができる。
【００３３】
図５に、この発明に係る水路のライニング構造の第二実施形態を示す。この水路の流れ方向は、本図中の矢印ｆで示した方向である。このライニング構造の基本的な構成は第一実施形態に係るライニング構造と共通し、例えば、砂防ダムＤ（図１１参照）の水通し部Ａから水叩き部Ｂに至る途中の水路の傾斜角度が変化する箇所に設けられる。なお、第一実施形態と共通する部分については、同じ符号を付してその説明を省略する。
【００３４】
水路の傾斜部に配置される架台２（以下、傾斜架台２ａという。）の脚部５の上流側には、位置決め部材８が設けられている。この位置決め部材８は、脚部５に対してほぼ垂直に突出して設けられた複数の第一接続片９ａと、各第一接続片９ａの先端側に連設された第二接続片９ｂと、各第二接続片９ｂを連結する当接部１０とから構成される。当接部１０は、水路の流れ方向ｆに対して直交して設けられた長尺板状の部材である。なお、この実施形態においては、脚部５の上流側に位置決め部材８を設けた構成としたが、脚部５の下流側、又は、上流側と下流側の両方に位置決め部材８を設けた構成とすることもできる。
【００３５】
水路の水平部に配置される架台２（以下、水平架台２ｂという。）は、例えば図６に示すように、この水平架台２ｂの長手方向（流れ方向ｆと直交する方向）に沿って２列に配置された複数の脚部５と、２列に配置された複数の脚部５の上端部を連結する一対の横部材６と、一対の横部材６同士を連結する複数の第一縦部材７ａと、前記一対の横部材６のうちの一方の横部材６から、第一縦部材７ａと互い違いに水平に突出して設けられる第二縦部材７ｂと、を有する。脚部５と横部材６の間、横部材６と第一縦部材７ａ及び第二縦部材７ｂの間は、溶接によって固定されている。水平架台２ｂの上流側の脚部５には、位置決め部材８が設けられている。
【００３６】
傾斜架台２ａに設けられた位置決め部材８の当接部１０は、水平架台２ｂの脚部５に当接している。また、水平架台２ｂに設けられた位置決め部材８の当接部１０は、砂防ダムＤ（図１１参照）等の既設構造物のコンクリート壁に当接している。これらの当接によって、傾斜架台２ａと水平架台２ｂとの間、及び、水平架台２ｂと砂防ダムＤ等の既設構造物との間で正確に位置決めされるため、両架台２ａ、２ｂの上に設けたライニング材３に重なりが生じたり、大きな隙間が生じたりするのを確実に防止することができる。
【００３７】
図７に、この発明に係る水路のライニング構造の第三実施形態を示す。このライニング構造が採用される水路の流れ方向は、本図中の矢印ｆで示した方向である。この第三実施形態に係る架台２は、この架台２の長手方向（流れ方向ｆと直交する方向）に沿って、上下に対をなすとともに流れ方向ｆに間隔を空けて配置された複数の横部材６と、横部材６と直交するように上下に対をなすとともに前記長手方向に間隔を空けて配置された複数の縦部材７と、横部材６に設けられたＬ字形をなし上端に雄ねじが形成された基礎ボルト１６と、横部材６から水平方向に突出して設けられた位置決め部材８と、を有する。横部材６と縦部材７の間、横部材６と基礎ボルト１６の間、及び、横部材６と位置決め部材８の間は、溶接によって固定されている。
【００３８】
また、第三実施形態に係るライニング材３は、正方形平板状の本体部１３を有する。この本体部１３には、架台２の基礎ボルト１６を挿通するためのボルト１７孔が複数箇所に形成されている。この基礎ボルト１６にナット１８（本実施形態では、本体部１３の上下から２個のナット１８）をねじ込むことによって、架台２に本体部１３を確実に固定することができる。ライニング材３の形状は正方形に限定されず、図７中に示すように（ライニング材３’参照）、長方形とすることもできる。
【００３９】
図８から図１０に、この発明に係る水路のライニング構造の第四実施形態を示す。この第四実施形態に係るライニング構造は、例えば、砂防ダムＤ（図１１参照）の水通し部Ａから水叩き部Ｂに至る途中の水路の傾斜角度が変化する箇所に設けられる点で第二実施形態に係るものと同様であるが、水路の傾斜角度が変化する箇所に設けられるライニング材３を、第三実施形態に係るライニング構造と同様に、基礎ボルト１６にねじ込まれるナット１８によって固定する点で異なっている。
【００４０】
第四実施形態においては、水路の流れ方向ｆに直交する複数の横部材６と、この横部材６に設けられた複数の基礎ボルト１６と、によって架台２が形成されている。そして、この架台２を構成する横部材６に、位置決め部材８が設けられている。位置決め部材８の構成は、第二実施形態に係るものと同様である。横部材６と基礎ボルト１６の間、及び、横部材６と位置決め部材８の間は、溶接によって固定されている。
【００４１】
上記の各実施形態において説明した水路のライニング構造は全ての点で例示であって、ライニング材３を支持する架台２の位置決めを容易に行う、というこの発明の課題を解決し得る限りにおいて、各構成部材の形状、個数、配置等、適宜変更することができる。
【符号の説明】
【００４２】
１  凹部
２  架台
２ａ  傾斜架台
２ｂ  水平架台
３  ライニング材
４  充填材
５  （架台の）脚部
６  横部材
７  縦部材
８  位置決め部材
９  接続片
９ａ  第一接続片
９ｂ  第二接続片
１０  当接部
１１  アンカーボルト
１２  条鋼
１３  本体部
１４  （ライニング材の）脚部
１５  つば部
１６  基礎ボルト
１７  ボルト孔
１８  ナット
【図１】
2020066903.tif 000003
【図２】
2020066903.tif 000004
【図３】
2020066903.tif 000005
【図４】
2020066903.tif 000006
【図５】
2020066903.tif 000007
【図６】
2020066903.tif 000008
【図７】
2020066903.tif 000009
【図８】
2020066903.tif 000010
【図９】
2020066903.tif 000011
【図１０】
2020066903.tif 000012
【図１１】
2020066903.tif 000013